(57)【要約】【課題】迅速かつ容易な開封及びコンパクトな個装形状とし、開封後の吸収性物品の装着作業を容易にするとともに、身体にフィットしやすくする。【解決手段】ナプキン１は、長手方向の両端部をそれぞれ表面シート３側の面に折り畳むとともに、更に略長手方向中心部にて内側に折り畳むことにより四つ折りとされる。包装シート10は、ナプキン１の長手方向一方側の端部から外側に延在して設けられ、ナプキン１の両端折り畳み部1A、1Bを折り畳んだ状態で、ナプキン１を長手方向に沿って包囲し、次いでナプキン１と共に四つ折りに折り畳まれた後、包装シート10の開口した両側縁部が封鎖されるとともに、外側延在部分の端部が開封端部として包装シート１０の外面に剥離可能に接合されて個装状態とする。使用時には、前記開封端部を摘んで展開方向に引っ張ることにより、包装シート10とナプキン１の折り畳みが展開できる。【選択図】図１
2010220911.tif 000002
【特許請求の範囲】
【請求項１】
透液性表面シートと裏面シートとの間に吸収体が介在された吸収性物品と、この吸収性物品を個装する包装シートとからなり、前記吸収性物品は、長手方向の両端部をそれぞれ前記表面シート側の面に折り畳むとともに、更に略長手方向中心部にて内側に折り畳むことにより四つ折りとされた個装吸収性物品であって、
前記包装シートは、前記吸収性物品の長手方向一方側の端部から外側に延在して設けられ、前記吸収性物品の両端折り畳み部を折り畳んだ状態で、前記吸収性物品を長手方向に沿って包囲し、次いで前記吸収性物品と共に四つ折りに折り畳まれた後、前記包装シートの開口した両側縁部が封鎖されるとともに、外側延在部分の端部が開封端部として前記包装シートの外面に剥離可能に接合されて個装状態とされ、
使用時に、前記開封端部を摘んで展開方向に引っ張ることにより、前記包装シートと吸収性物品の折り畳みが展開できるようにしたことを特徴とする個装吸収性物品。
【請求項２】
前記吸収性物品には、前記包装シートの外側延在部分が設けられる側と反対側に位置する両端折り畳み部の前記裏面シート側の面に、展開用粘着剤層が形成されるとともに、前記両端折り畳み部を折り畳んだ状態で、前記展開用粘着剤層が前記包装シートの外側延在部分に接合された剥離紙によって剥離可能に覆われ、
使用時に、前記開封端部を摘んで展開方向に引っ張ることにより、前記展開用粘着剤層が形成された両端折り畳み部を展開できるようにしてある請求項１記載の個装吸収性物品。
【請求項３】
前記吸収性物品には、両側部に夫々、装着時に下着のクロッチ部分を巻き込むようにして固定されるウイング状フラップが形成されるとともに、前記ウイング状フラップの前記裏面シート側の面にウイングズレ止め粘着剤層が形成され、
個装状態で、前記ウイング状フラップがそれぞれ、前記表面シート側の面に折り返され、一対の前記ウイングズレ止め粘着剤層が剥離紙によって剥離可能に覆われている請求項１、２いずれかに記載の個装吸収性物品。
【請求項４】
前記包装シートの外側延在部分が設けられる側に位置する両端折り畳み部と前記外側延在部分の端部までの区間内において、前記包装シートの両側縁部に切欠き部が形成されている請求項１〜３いずれかに記載の個装吸収性物品。
【発明の詳細な説明】
【技術分野】
【０００１】
本発明は、吸収性物品が包装シートによって個装された個装吸収性物品に関する。
【背景技術】
【０００２】
従来より、生理用ナプキン、パンティライナー、おりものシート、失禁パッドなどの吸収性物品５０としては、例えば図１５に示されるように、ポリエチレンシートまたはポリエチレンラミネート不織布などからなる不透液性の裏面シート５１と、不織布または透孔性プラスチックシートなどからなる透液性の表面シート５２との間に綿状パルプなどからなる吸収体５３が介在された本体部分の両側部に夫々、装着時に下着のクロッチ部分を巻き込むようにして固定されるウイング状フラップ５４、５４が形成されたものが知られている。
【０００３】
この種の吸収性物品５０では、装着状態時にズレ止めを図るために、例えば前記本体部分の非肌当接面側（裏面シート５１の外面）に１または複数条の粘着剤層５６…が形成されるとともに、前記ウイング状フラップ５４、５４の裏面シート５１側の面（外面）に粘着剤層５７、５７が設けらている。
【０００４】
前記吸収性物品５０を下着３０に固定する際には、図１６に示されるように、吸収性物品５０を局所にあてがい、側方に突出する前記ウイング状フラップ５４、５４を下着より取り出し、両ウイング状フラップ５４、５４を折返し線ＲＬ、ＲＬで折返し、下着のクロッチ部分を巻き込むようにしながら前記ウイングズレ止め粘着剤層５７、５７を下着３０の股間部外面に接着するようにする。
【０００５】
一方、前記吸収性物品５０を個装するに際しては、前記ウイング状フラップ５４、５４を本体部分の肌当接面側（表面シート５２側）に腹折りした上で、前記粘着剤層５７、５７を紙又はフィルムからなる剥離紙によって被覆するとともに、前記粘着剤層５６…を剥離紙によって被覆し、吸収性物品５０の外面側に包装シートを配置して、ナプキン５０、剥離紙及び包装シートを共に長手方向に複数折りとし、側縁部分をヒートシールするとともに、開封部をタグテープ等により止着するようにしている。
【０００６】
ここで、長手方向に複数折りするに際しては、下記特許文献１に示されるように、従来より、吸収性物品の前側と後側の２箇所の折り線位置にて、吸収性物品の後側部分を表面シート側の面に折り返した後、その上に前側部分を折り返して重ねた三つ折りが主流となっている。
【０００７】
また、下記特許文献２では、吸収性物品をコンパクトに個装するため、吸収性物品が包装材の幅狭部と共に吸収性物品の長手方向に一体的に巻回されてロール状物とされた吸収性物品の包装構造が開示されている。
【先行技術文献】
【特許文献】
【０００８】
【特許文献１】特開２００３−８８５４８号公報
【特許文献２】特開２００６−３２０３９７号公報
【発明の概要】
【発明が解決しようとする課題】
【０００９】
しかしながら、三つ折りの個装吸収性物品の場合、開封手順は、(1)タグテープを剥がし、吸収性物品の前側部分を展開する、(2)吸収性物品の後側部分を展開する、(3)吸収性物品を剥離紙及び包装シートから取り外す、という３ステップを要するため、迅速な装着というのは不可能であった。また、吸収性物品の前側部分及び後側部分の展開において、一々個装吸収性物品を持ち替える手間があり、開封作業が面倒であった。
【００１０】
また、吸収性物品の交換時に、個装吸収性物品を手の平などに隠して持ち運べるようにすることが望まれていたが、三つ折りの場合には手の平に隠れる程度にコンパクトにすることが難しかった。
【００１１】
さらに、開封後の吸収性物品は、三つ折りの場合、図１７に示されるように、折り線位置が２箇所のため、吸収性物品の前後両端部の折り角度が鋭く、折り癖によって両端部が内側に傾斜した状態となる。また、上記特許文献２のように吸収性物品を長手方向に巻回してロール状物とした場合、コンパクトな個装は実現できるものの、特にロール内側部分、すなわち吸収性物品の長手方向端部において、巻き癖によって端部が内側に湾曲した状態となる。そのため、このような吸収性物品を下着に装着しようとしても、装着作業時に吸収性物品と下着との接着が剥離しやすく長手方向端部が下着から浮き上がったり、装着中に吸収性物品が身体にフィットし難くくヨレやズレの原因となったりしていた。
【００１２】
そこで本発明の主たる課題は、迅速かつ容易な開封を可能にするとともに、コンパクトな個装形状とし、開封後の吸収性物品の装着作業を容易にするとともに、身体にフィットしやすくした個装吸収性物品を提供することにある。
【課題を解決するための手段】
【００１３】
前記課題を解決するために請求項１に係る本発明として、透液性表面シートと裏面シートとの間に吸収体が介在された吸収性物品と、この吸収性物品を個装する包装シートとからなり、前記吸収性物品は、長手方向の両端部をそれぞれ前記表面シート側の面に折り畳むとともに、更に略長手方向中心部にて内側に折り畳むことにより四つ折りとされた個装吸収性物品であって、
前記包装シートは、前記吸収性物品の長手方向一方側の端部から外側に延在して設けられ、前記吸収性物品の両端折り畳み部を折り畳んだ状態で、前記吸収性物品を長手方向に沿って包囲し、次いで前記吸収性物品と共に四つ折りに折り畳まれた後、前記包装シートの開口した両側縁部が封鎖されるとともに、外側延在部分の端部が開封端部として前記包装シートの外面に剥離可能に接合されて個装状態とされ、
使用時に、前記開封端部を摘んで展開方向に引っ張ることにより、前記包装シートと吸収性物品の折り畳みが展開できるようにしたことを特徴とする個装吸収性物品が提供される。
【００１４】
上記請求項１記載の発明では、個装状態において、吸収性物品は、長手方向の両端部をそれぞれ前記表面シート側の面に折り畳むとともに、更に略長手方向中心部にて内側に折り畳むことにより四つ折りとされているため、コンパクトな個装吸収性物品とすることができ、吸収性物品の交換時に個装吸収性物品を手の平などに隠して持ち運ぶことができるようになる。
【００１５】
また、前記包装シートは、前記吸収性物品の長手方向一方側の端部から外側に延在して設けられ、前記吸収性物品の両端折り畳み部を折り畳んだ状態で、前記吸収性物品を長手方向に沿って包囲し、次いで前記吸収性物品と共に四つ折りに折り畳まれた後、前記包装シートの開口した両側縁部が封鎖されるとともに、外側延在部分の端部が開封端部として前記包装シートの外面に剥離可能に接合されて個装状態とされている。そして、個装吸収性物品の使用時に、前記開封端部を摘んで展開方向に引っ張ることにより、前記包装シートと吸収性物品の折り畳みが展開できるようにしている。このため、開封手順が、(1)開封端部を摘んでそのまま展開方向に引っ張る、(2)吸収性物品を包装シートから取り外す、という２ステップからなり、従来の三つ折りの個装吸収性物品のように、開封に３ステップを要さず、迅速な装着が可能となる。また、開封端部を展開方向に引っ張るだけで吸収性物品の折り畳みが展開できるため、個装吸収性物品を一々持ち替える必要が無く、開封作業が容易となる。
【００１６】
さらに、前述の通り四つ折りであるため、３箇所の折り位置で緩やかに折れ曲がり、折り癖による吸収性物品の傾斜が、長手方向に対して外側に広がった形状となる。このため、かかる吸収性物品を下着に装着する際、下着の湾曲に沿いやすく、下着と接合し易くなるとともに、身体にもフィットしやすく、装着中のヨレやズレが防止できる。
【００１７】
請求項２に係る本発明として、前記吸収性物品には、前記包装シートの外側延在部分が設けられる側と反対側に位置する両端折り畳み部の前記裏面シート側の面に、展開用粘着剤層が形成されるとともに、前記両端折り畳み部を折り畳んだ状態で、前記展開用粘着剤層が前記包装シートの外側延在部分に接合された剥離紙によって剥離可能に覆われ、
使用時に、前記開封端部を摘んで展開方向に引っ張ることにより、前記展開用粘着剤層が形成された両端折り畳み部を展開できるようにしてある請求項１記載の個装吸収性物品が提供される。
【００１８】
上記請求項２記載の発明では、前記吸収性物品に、前記包装シートの外側延在部分が設けられる側と反対側に位置する両端折り畳み部の前記裏面シート側の面に、展開用粘着剤層を形成するとともに、前記両端折り畳み部を折り畳んだ状態で、前記展開用粘着剤層が前記包装シートの外側延在部分に接合される剥離紙によって剥離可能に覆うことにより、使用時に、前記開封端部を摘んで展開方向に引っ張ることにより、前記展開用粘着剤層と剥離紙との接合作用によって、前記両端折り畳み部を展開できるようにしたものである。
【００１９】
請求項３に係る本発明として、前記吸収性物品には、両側部に夫々、装着時に下着のクロッチ部分を巻き込むようにして固定されるウイング状フラップが形成されるとともに、前記ウイング状フラップの前記裏面シート側の面にウイングズレ止め粘着剤層が形成され、
個装状態で、前記ウイング状フラップがそれぞれ、前記表面シート側の面に折り返され、一対の前記ウイングズレ止め粘着剤層が剥離紙によって剥離可能に覆われている請求項１、２いずれかに記載の個装吸収性物品が提供される。
【００２０】
上記請求項３記載の発明では、ウイング状フラップが形成された吸収性物品について規定したものであり、個装状態で、前記ウイング状フラップがそれぞれ、前記表面シート側の面に折り返され、一対の前記ウイングズレ止め粘着剤層が剥離紙によって剥離可能に覆われるようにしたものである。
【００２１】
請求項４に係る本発明として、前記包装シートの外側延在部分が設けられる側に位置する両端折り畳み部と前記外側延在部分の端部までの区間内において、前記包装シートの両側縁部に切欠き部が形成されている請求項１〜３いずれかに記載の個装吸収性物品が提供される。
【００２２】
上記請求項４記載の発明では、包装シートの両側縁の開口部を封鎖手段により封鎖する際の加工を容易にするため、前記包装シートの外側延在部分が設けられる側に位置する両端折り畳み部と前記外側延在部分の端部までの区間内において、前記包装シートの両側縁部に切欠き部を形成したものである。
【発明の効果】
【００２３】
以上詳説のとおり本発明によれば、迅速かつ容易な開封を可能にするとともに、コンパクトな個装形状とし、開封後の吸収性物品の装着作業を容易にするとともに、身体にフィットしやすくした個装吸収性物品が提供できる。
【図面の簡単な説明】
【００２４】
【図１】個装生理用ナプキンＮの一部破断展開図である。
【図２】図１のII−II線矢視図である。
【図３】個装生理用ナプキンＮの個装手順図（その１）である。
【図４】個装生理用ナプキンＮの個装手順図（その２）である。
【図５】個装生理用ナプキンＮの個装手順図（その３）である。
【図６】個装生理用ナプキンＮの個装手順図（その４）である。
【図７】個装生理用ナプキンＮの個装手順図（その５）である。
【図８】個装状態を示す斜視図である。
【図９】個装生理用ナプキンＮの開封手順図（その１）である。
【図１０】個装生理用ナプキンＮの開封手順図（その２）である。
【図１１】個装生理用ナプキンＮを開封した状態の側面図である。
【図１２】他の形態例を示す個装生理用ナプキンＮの展開図（その１）である。
【図１３】他の形態例を示す個装生理用ナプキンＮの展開図（その２）である。
【図１４】他の形態例を示す個装生理用ナプキンＮの展開図（その３）である。
【図１５】従来の生理用ナプキン５０を示す一部破断展開図である。
【図１６】生理用ナプキン５０の装着状態図である。
【図１７】生理用ナプキン５０を開封した状態の側面図である。
【発明を実施するための形態】
【００２５】
以下、本発明の実施の形態について図面を参照しながら詳述する。
【００２６】
〔生理用ナプキン１の構造例〕
本発明に係る生理用ナプキン１は、ポリエチレンシート、ポリプロピレンシートなどからなる不透液性の裏面シート２と、経血やおりものなどを速やかに透過させる透液性の表面シート３と、これら両シート２，３間に介在された綿状パルプまたは合成パルプなどからなる吸収体４と、表面側両側部にそれぞれ長手方向に沿って形成されたサイド不織布６とから構成されている。前記表面シート３と裏面シート２との間に吸収体４が介在された本体部分の長手方向両側縁部には夫々、前記裏面シート２とサイド不織布６との貼り合わせ部分により側方に突出し、前記吸収体４が介在しないフラップ部が形成されるとともに、このフラップ部には、装着時に下着のクロッチ部分を巻き込むようにして固定されるウイング状フラップＷ、Ｗが含まれている。なお、前記吸収体４は形状保持および拡散性向上のためにクレープ紙で囲繞することができる。
【００２７】
また、前記表面シート３と裏面シート２との間に吸収体４が介在された本体部分の裏面には、下着に対する固定のために適宜の塗布パターンによって複数条の、図示例では２条の本体ズレ止め粘着剤層７，７…が形成されている。また、前記ウイング状フラップＷ、Ｗの裏面シート２側の面（裏面）には、ウイングズレ止め粘着剤層８、８が形成されている。さらに、ナプキン１の後側端部近傍の裏面シート２側の面（裏面）には、展開用粘着剤層９が形成されている。
【００２８】
以下、さらに前記生理用ナプキン１の構造例について詳述すると、
前記裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２９】
次いで、前記表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。
【００３０】
前記裏面シート２と表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。本例のように、吸収体４を囲繞するクレープ紙を設ける場合には、結果的に透液性表面シート３と吸収体４との間にクレープ紙が介在することになり、吸収性に優れる前記クレープ紙によって体液を速やかに拡散させるとともに、これら経血等の逆戻りを防止するようになる。
【００３１】
また、前記吸収体４に合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００３２】
前記ズレ止め粘着剤層７、８、９を形成する粘着剤としては、たとえばスチレン系ポリマー、粘着付与剤、可塑剤のいずれかが主成分であるものが好適に使用される。前記スチレン系ポリマーとしては、スチレン−エチレン−ブチレン−スチレンブロック共重合体、スチレン−ブチレン−スチレンブロック共重合体、スチレン−イソブチレン−スチレン共重合体等が挙げられるが、これらのうち１種のみを使用しても、二種以上のポリマーブレンドであってもよい。この中でも熱安定性が良好であるという点で、スチレン−エチレン−ブチレン−スチレンブロック共重合体が好ましい。また、前記粘着付与剤および可塑剤としては、常温で固体のものを好ましく用いることができ、粘着付与剤ではたとえばＣ５系石油樹脂、Ｃ９系石油樹脂、ジシクロペンタジエン系石油樹脂、ロジン系石油樹脂、ポリテルペン樹脂、テルペンフェノール樹脂等が挙げられ、前記可塑剤では例えば、リン酸トリフレシル、フタル酸ジブチル、フタル酸ジオクチル等のモノマー可塑剤の他、ビニル重合体やポリエステルのようなポリマー可塑剤が挙げられる。
【００３３】
〔生理用ナプキン１の個装構造〕
前記個装生理用ナプキンＮは、前記生理用ナプキン１と、この生理用ナプキン１を個装する包装シート１０とから構成されている。
【００３４】
前記生理用ナプキン１は、長手方向の両端部をそれぞれ折り線Ｌ１、Ｌ３位置にて表面シート３側の面に折り畳むとともに、更に略長手方向中心部（折り線Ｌ２位置）にて内側に折り畳むことにより四つ折りとされる。
【００３５】
前記包装シート１０は、幅方向に対しては両側部のフラップ部を表面シート３側の面に折り返した状態のナプキン１の平面寸法より左右に所定の寸法だけ大きく形成され（図４参照）、長手方向に対してはナプキン１の後側寄りの所定位置から前側端部の外側に所定寸法だけ延在する外側延在部分１０Ａが形成される略矩形状のシートとすることができる。素材的には、プラスチックフィルム又は不織布などを使用することができるが、好ましくは薄くかつ柔軟性の高いプラスチックフィルムとするのがよい。幅寸法は、後述する封鎖手段が確保されるような寸法とする。また、長手寸法は、後述するナプキン１の両端折り畳み部を折り畳んだ状態で、少なくともナプキン１を長手方向に包囲する寸法とする。
【００３６】
前記包装シート１０のナプキン１側の当接面には、本体ズレ止め粘着剤層７…に対する当接面に対し、後述の剥離紙１１と同様の離型処理が施された剥離紙５が、前記本体ズレ止め粘着剤層７…の形成範囲を覆う大きさで、ホットメルト等の接着剤によって接着されている。前記剥離紙５の離型処理は、前記粘着剤層７…を覆う面にだけ施されるようにし、その反対側の包装シート１０に接着される面には、前記包装シート１０との接着性を確保するために、前記離型処理を施さないようにする。包装シート１０と剥離紙５とは、適当な箇所で、具体的には長手方向に数箇所に亘って接着されている。
【００３７】
また、前記包装シート１０の外側延在部分１０Ａの端縁のほぼ中央には、タグテープ１５が設けられている。前記タグテープ１５は、紙又はプラスチックフィルム等からなる部材で、基端側が包装シート１０に剥離不能に接着され、突出部分に剥離可能な接着剤層が設けられ、且つその先端部分に非接着性の摘み部が形成されている。
【００３８】
一方、個装状態において、前記ウイング状フラップＷ、Ｗが前記表面シート３側の面（表面）に折り返され（腹折りされ）るとともに、ナプキン１の後端折り畳み部１Ａが前記表面シート３側の面（表面）に折り返され（腹折りされ）、一対のウイングズレ止め粘着剤層８、８及び展開用粘着剤層９が剥離紙１１によって剥離可能に覆われている。
【００３９】
前記剥離紙１１としては、ズレ止め粘着剤層８及び展開用粘着剤層９に対する当接面に対し、例えばシリコーン系樹脂、フッ素系樹脂、または四フッ化エチレン系樹脂などの離型処理液を塗工するかスプレー塗布し離型処理した紙またはプラスチックシートを用いることができる。なお、特別に離型処理をしなくても、実質的に粘着力の低下を招かないものであれば、フィルムそのものであっても、不織布そのものであっても良い。
【００４０】
さらに、前記個装生理用ナプキンＮは、図１に示されるように、幅方向の仮想の折り線Ｌ１〜Ｌ５の位置にて、長手方向に折り畳まれて個装状態とされる。
【００４１】
〔個装手順〕
前述した個装生理用ナプキンＮを個装する手順について説明する。
【００４２】
先ず、図３に示されるように、本体ズレ止め粘着剤層７、７を剥離紙５によって覆う。さらに、前記ウイング状フラップＷ、Ｗをそれぞれ、表面シート３側の面（表面）に折り返すとともに、このウイング状フラップＷ、Ｗと重ならないように、ナプキン１の後端折り畳み部１Ａを折り線Ｌ１位置にて表面側に折り返す。これにより、一対のウイングズレ止め粘着剤層８、８が隣接配置されるとともに、その後側に展開用粘着剤層９が配置される。これらウイングズレ止め粘着剤層８、８及び展開用粘着剤層９を一体的に剥離紙１１によって剥離可能に覆う。
【００４３】
その後、図４に示されるように、包装シート１０に前記剥離紙５の非離型処理加工面側を接着し、包装シート１０にナプキン１を配置する。このとき、前記折り線Ｌ１位置にて折り返した後端折り畳み部１Ａの後端部と包装シート１０の後側端部を合わせるように配置する。
【００４４】
次に、図５に示されるように、ナプキン１の前端折り畳み部１Ｂを折り線Ｌ３位置にて包装シート１０とともに表面側に折り畳む。このとき、包装シート１０は、前記外側延在部分１０Ａによってナプキン１を長手方向に沿って包囲し、さらにナプキン１の後端折り畳み部１Ａの後端部より外側に延在する位置まで設けられる。この折り畳みと同時に、包装シート１０の外側延在部分１０Ａに前記剥離紙１１の非離型処理加工面側を接着する。この折り畳みにより、ナプキン１は、後端折り畳み部１Ａ及び前端折り畳み部１Ｂがそれぞれ、表面側に折り畳まれた状態となる。なお、この折り畳みにより、折り線Ｌ２とＬ４とが重なるとともに、折り線Ｌ１とＬ４とが重なるようになる。
【００４５】
更に、図６に示されるように、後端折り畳み部１Ａ及び前端折り畳み部１Ｂを腹折りしたナプキン１の略長手方向（前後方向）中心部の折り線Ｌ２（Ｌ４）位置にて包装シート１０とともに内側に折り畳む（ナプキン１の後端折り畳み部１Ａ及び前端折り畳み部１Ｂを対向させるように折り畳む）。この折り畳みにより、ナプキン１は四つ折りに折り畳まれる。
【００４６】
次いで、図７に示されるように、ナプキン１の後端折り畳み部１Ａの後端部より外側に延在する包装シート１０の外側延在部分１０Ａを、ナプキン１の後端折り畳み部１Ａの後端部を巻き込むように、折り線Ｌ５（Ｌ１）位置にて折り返す。
【００４７】
しかる後、図８に示されるように、この折り返した端部を開封端部とし、包装シート１０の外面にタブテープ１５によって剥離可能に接合するとともに、包装シート１０の開口した両側縁部１０ａ、１０ａをエンボス圧着、加熱融着、接着剤等、適宜の封鎖手段の単独または組合せによって封鎖し、折り畳み形状を保持する。
【００４８】
〔開封手順〕
次に、使用時に、図８に示される製品状態の個装生理用ナプキンＮを開封する手順について説明する。本個装生理用ナプキンＮの開封手順は、(1)図９及び図１０に示されるように、タグテープ１５を摘んで剥がし、そのまま展開方向に引っ張る、(2)ナプキン１を包装シート１０から取り外す、という２ステップからなる。前記第１ステップにより、ナプキン１の前端折り畳み部１Ｂが展開するとともに後端折り畳み部１Ａが展開用粘着剤層９と剥離紙１１との接合により引っ張られて展開し、且つ包装シート１０の側縁部分１０ａ、１０ａの封鎖手段が解除されて、ナプキン１が展開する。
【００４９】
これに対し、従来の三つ折りの個装吸収性物品の場合、開封手順は、上述の通り、(1)タグテープを剥がし、吸収性物品の前側部分を展開する、(2)吸収性物品の後側部分を展開する、(3)吸収性物品を剥離紙及び包装シートから剥がす、という３ステップを要する。このため、本発明に係る個装生理用ナプキンＮでは、上記２ステップであるので、迅速な装着が可能となる。
【００５０】
また、開封後のナプキン１は、図１１に示されるように、折り線位置が３箇所（折り線Ｌ１、Ｌ２、Ｌ３）であるため、ナプキン１の折り角度が小さくなり、折り癖によるナプキン１の傾斜が、長手方向に対して全体に外側に広がった形状となる。このため、このようなナプキンを下着に装着する場合、下着の湾曲に沿いやすく、本体ズレ止め粘着剤層７の接着が効果的となる。また、身体にもフィットしやすく、装着中のヨレやズレが防止できるようになる。
【００５１】
〔他の形態例〕
(1)上記形態例では、包装シート１０は略矩形状のシートとされていたが、図１２に示されるように、包装シート１０の外側延在部分１０Ａが設けられる側に位置する前端折り畳み部１Ｂと前記外側延在部分１０Ａの端部までの区間内において、包装シート１０の両側縁部に切欠き部１０ｂ、１０ｂを形成してもよい。さらに具体的には、前記切欠き部１０ｂは、折り線Ｌ３からＬ５の範囲Ｓ内の包装シート１０の両側縁部に形成されることが好ましい。これにより、個装生理用ナプキンＮを折り畳んで包装シート１０の両側縁部１０ａ、１０ａを封鎖する際に、この両側縁部１０ａ、１０ａの資材枚数が低減するため、封鎖手段が容易となる。
【００５２】
(2)上記形態例では、ナプキン１の両側部にウイング状フラップＷ、Ｗが形成されていたが、図１３に示されるように、かかるウイング状フラップのないナプキンに対しても適用することもできる。この場合、前記剥離紙１１は、前記展開用粘着剤層９を覆う範囲の大きさで形成することができる。
【００５３】
(3)上記形態例では、本体ズレ止め粘着剤層７、７を覆う剥離紙５と、ウイングズレ止め粘着剤層８、８及び展開用粘着剤層９を覆う剥離紙１１とを別体のもので構成していたが、図１４に示されるように、これらが一体となった剥離紙２０を用いても良い。
【００５４】
(4)上記形態例では、ナプキン１の前側端部の外側に包装シート１０の外側延在部分１０Ａが形成されるようにしたが、これとは逆に、ナプキン１の後側端部の外側に形成されるようにしてもよい。
【符号の説明】
【００５５】
１…生理用ナプキン、１Ａ…後端折り畳み部、１Ｂ…前端折り畳み部、２…不透液性裏面シート、３…透液性表面シート、４…吸収体、５…剥離紙、６…サイド不織布、７…本体ズレ止め粘着剤層、８…ウイングズレ止め粘着剤層、９…展開用粘着剤層、１０…包装シート、Ｎ…個装生理用ナプキン
【図１】
2010220911.tif 000003
【図２】
2010220911.tif 000004
【図３】
2010220911.tif 000005
【図４】
2010220911.tif 000006
【図５】
2010220911.tif 000007
【図６】
2010220911.tif 000008
【図７】
2010220911.tif 000009
【図８】
2010220911.tif 000010
【図９】
2010220911.tif 000011
【図１０】
2010220911.tif 000012
【図１１】
2010220911.tif 000013
【図１２】
2010220911.tif 000014
【図１３】
2010220911.tif 000015
【図１４】
2010220911.tif 000016
【図１５】
2010220911.tif 000017
【図１６】
2010220911.tif 000018
【図１７】
2010220911.tif 000019